(57)【要約】【課題】ＷＳＳが含まれている映像信号を再生する際に、表示装置の有効画像領域内にＷＳＳ成分が再生されることを抑止可能な映像記録再生装置および映像記録再生方法を提供する。【解決手段】本発明の映像記録再生装置は、記録媒体に映像信号とその管理情報を記録するハードディスク装置９およびＤＶＤ−ＲＡＭドライブ８と、入力された映像信号の垂直帰線期間に、有効映像領域内に出力されることのあるＷＳＳ信号が含まれていることを検知するＭＰＵ１８と、ＭＰＵによりＷＳＳ信号が含まれていることが検出された場合に、ＭＰＵにより記録媒体の管理情報記録領域に、ＷＳＳ信号が含まれていることを示す固有の情報を記録させることを特徴とする。【選択図】        図１
2004363648.tif 000002
【特許請求の範囲】
【請求項１】
空間伝送または信号線により外部から入力される映像信号および音声信号が入力される信号入力部と（ＴＶチューナ・外部入力）、
前記信号入力部に入力された信号を所定形式の信号にエンコードするエンコード部と（エンコーダ・データ処理部）、
記録媒体に上記映像信号とその管理情報を記録する記録装置と（ＨＤＤ・ＤＶＤドライブ装置）、
前記信号入力部に入力された上記映像信号の垂直帰線期間に、有効映像領域内に出力されることのある制御情報信号が含まれていることを検知する制御情報信号検出装置と（エンコーダ・ＭＰＵ）、
前記制御情報信号検出装置により上記制御情報信号が含まれていることが検出された場合に、上記制御情報信号が含まれていることを示すフラグを上記記録媒体の管理情報記録領域の所定の領域に立てる制御制御装置と（ＭＰＵ・データ処理部（ディスクコントローラ））、
を備えたことを特徴とする映像記録再生装置。
【請求項２】
前記記録制御装置は、前記制御情報信号検出装置により上記制御情報信号が含まれていることが検出された場合に、上記記録媒体に前記信号入力部に入力された上記映像信号を記録する際に、上記制御情報信号が含まれている垂直帰線期間の次の垂直帰線期間から上記映像信号を符号化することを特徴とする請求項１記載の映像記録再生装置。
【請求項３】
上記フラグの有無を検出する制御情報信号記録部検出装置と、
上記記録媒体に記録されている上記映像信号を再生する復号化する映像信号復号装置と（デコーダ・バッファ）、
をさらに有し、
前記記録制御装置は、上記制御情報信号記録部検出装置により上記フラグがあることが検出された場合、上記記録媒体に記録されている上記映像信号を再生する際に、上記制御情報信号が含まれている垂直帰線期間の次の垂直帰線期間から上記映像信号を復号化することを特徴とする請求項１記載の映像記録再生装置。
【請求項４】
空間伝送または信号線により外部から入力される映像信号および音声信号が入力される信号入力部と（ＴＶチューナ・外部入力）、
前記信号入力部に入力された信号を所定形式の信号にエンコードするエンコード部と（エンコーダ・データ処理部）、
記録媒体に上記映像信号とその管理情報を記録する記録装置と（ＨＤＤ・ＤＶＤドライブ装置）、
前記信号入力部に入力された上記映像信号の垂直帰線期間に、有効映像領域内に出力されることのある制御情報信号が含まれていることを検知する制御情報信号検出装置と（エンコーダ・ＭＰＵ）、
前記記録装置による上記記録媒体への上記映像信号の記録開始および記録終了および記録条件を含む記録予約情報を保持する記録予約情報保持装置と（タイマーコンピュータ）、
前記記録予約情報保持装置により主電源がオンされた時点で、前記制御情報信号検出装置により上記制御情報信号が含まれていることが検出された場合に、上記記録媒体の管理情報記録領域の所定の領域に上記制御情報信号が含まれていることを示すフラグを立てる記録制御装置と（ＭＰＵ・データ処理部（ディスクコントローラ））、
を備えたことを特徴とする映像記録再生装置。
【請求項５】
前記記録制御装置は、前記制御情報信号検出装置により上記制御情報信号が含まれていることが検出された場合に、上記記録媒体に前記信号入力部に入力された上記映像信号を記録する際に、上記制御情報信号が含まれている垂直帰線期間の次の垂直帰線期間から上記映像信号を符号化することを特徴とする請求項４記載の映像記録再生装置。
【請求項６】
入力された映像信号の垂直帰線期間に、有効映像領域内に出力されることのある制御情報信号が含まれていることを検知し、
制御情報信号が含まれていることが検出された場合に、記録媒体の管理情報記録領域の所定の領域に、制御情報信号が含まれていることを示すフラグを立てることを特徴とする映像記録方法。
【請求項７】
記録媒体への映像信号の記録開始および記録終了および記録条件を含む記録予約情報に基づいて主電源がオンし、
主電源がオンされた時点で、入力された映像信号の垂直帰線期間に、有効映像領域内に出力されることのある制御情報信号が含まれていることを検知し、
入力された映像信号の垂直帰線期間に制御情報信号が含まれていることが検知された場合に、記録媒体の管理情報記録領域の所定の領域に、制御情報信号が含まれていることを示すフラグを立てることを特徴とする映像記録方法。
【請求項８】
空間伝送または信号線により外部から入力される映像信号および音声信号が入力される信号入力部と（ＴＶチューナ・外部入力）、
前記信号入力部に入力された信号を所定形式の信号にエンコードするエンコード部と（エンコーダ・データ処理部）、
記録媒体に上記映像信号とその管理情報を記録する記録装置と（ＨＤＤ・ＤＶＤドライブ装置）、
前記信号入力部に入力された上記映像信号の垂直帰線期間に、有効映像領域内に出力されることのある制御情報信号が含まれていることを検知する制御情報信号検出装置と（エンコーダ・ＭＰＵ）、
前記制御情報信号検出装置により上記制御情報信号が含まれていることが検出された場合に、上記記録媒体の管理情報記録領域の所定の領域に上記制御情報信号が含まれていることを示すフラグを立てるとともに、前記記録装置に、上記記録媒体に記録すべき上記映像信号を出力する際に、上記制御情報信号が含まれている垂直帰線期間の次の垂直帰線期間から上記映像信号を記録させる記録制御装置と（ＭＰＵ・データ処理部（ディスクコントローラ））、
を備えたことを特徴とする映像記録再生装置。
【請求項９】
前記記録制御装置は、前記制御情報信号検出装置により上記制御情報信号が含まれていることが検出された場合に、上記記録媒体に前記信号入力部に入力された上記映像信号を記録する際に、上記制御情報信号が含まれている垂直帰線期間の次の垂直帰線期間から上記映像信号を符号化することを特徴とする請求項８記載の映像記録再生装置。
【発明の詳細な説明】
【０００１】
【発明の属する技術分野】
この発明は、放送衛星や通信衛星から、あるいはＶＨＦ帯域またはＵＨＦ帯域の電波により放送される映像を記録し、また再生可能な映像記録再生装置、特にＤＶＤ−ＶＲ規格に準拠した映像記録再生装置に関する。
【０００２】
【従来の技術】
映像を表示する表示装置としてテレビジョン装置が広く普及している。
【０００３】
テレビジョン方式としては、主として日本やアジア地域で採用されている走査線の本数が５２５本のＮＴＳＣ方式と、主として欧州で採用されている６２５／５０ライン方式のＰＡＬ方式等が広く採用されている。
【０００４】
ＰＡＬ方式においては、ＷＳＳ（Ｗｉｄｅ  Ｓｃｒｅｅｎ  Ｓｉｇｎａｌｌｉｎｇ  情報）が、ＶＢＩ（Ｖｅｒｔｉｖａｌ  Ｂｌａｎｋｉｎｇ  Ｉｎｔｅｒｖａｌ  すなわち垂直帰線期間）に重畳される場合がある。
【０００５】
ＷＳＳでは、アスペクト情報やサブタイトル（Ｓｕｂｔｉｌｅ）情報、またはコピー制御情報等が規定されているが、これらの情報は、有効映像ラインであるライン２３に設定されている。
【０００６】
なお、ＶＢＩに重畳された信号（ＷＳＳ）を、光ディスク等のディジタルメディアに記録する場合に、ＶＢＩに重畳される信号を検出して、アスペクト情報やコピー制御情報が設定されているエリアに記録することが提案されている（例えば、特許文献１参照）。
【０００７】
また、ＶＢＩに重畳された信号（ＷＳＳ）から、アスペクト比（特にレターボックス制御情報）を所定のテーブルに従って変換して得ることが提案されている（例えば、特許文献２参照）。
【０００８】
さらに、ＶＢＩに重畳された信号（ＷＳＳ）に、アスペクト比（特にレターボックス制御情報）の情報が含まれることが提案されている（例えば、特許文献３参照）。
【０００９】
またさらに、ＶＢＩに重畳された信号（ＷＳＳ）を、光ディスク等のディジタルメディアに記録する場合に、ＶＢＩに重畳される信号を検出して、アスペクト情報やコピー制御情報が設定されているエリアに記録することが提案されている（例えば、特許文献４参照）。
【００１０】
さらにまた、ＶＢＩに重畳された信号（ＷＳＳ）から、アスペクト比（特にレターボックス制御情報）を所定のテーブルに従って変換して得ることが提案されている（例えば、特許文献５参照）。
【００１１】
またさらに、ＶＢＩに重畳された信号（ＷＳＳ）に、アスペクト比（特にレターボックス制御情報）の情報が含まれることが提案されている（例えば、特許文献６参照）。
【００１２】
さらにまた、ＶＢＩに重畳された信号（ＷＳＳ）を、光ディスク等のディジタルメディアに記録する場合に、ＶＢＩに重畳される信号を検出して、アスペクト情報やコピー制御情報が設定されているエリアに記録することが提案されている（例えば、特許文献７参照）。
【００１３】
またさらに、ＶＢＩに重畳された信号（ＷＳＳ）から、アスペクト比（特にレターボックス制御情報）を所定のテーブルに従って変換して得ることが提案されている（例えば、特許文献８参照）。
【００１４】
さらにまた、ＶＢＩに重畳された信号（ＷＳＳ）に、アスペクト比（特にレターボックス制御情報）の情報が含まれることが提案されている（例えば、特許文献９参照）。
【００１５】
またさらに、ＶＢＩに重畳された信号（ＷＳＳ）から、アスペクト比（特にレターボックス制御情報）を所定のテーブルに従って変換して得ることが提案されている（例えば、特許文献１０参照）。
【００１６】
さらにまた、ＶＢＩに重畳された信号（ＷＳＳ）に、アスペクト比（特にレターボックス制御情報）の情報が含まれることが提案されている（例えば、特許文献１１参照）。
【００１７】
【特許文献１】
特開２００１−８６４４４号公報（図５、図６、請求項２、段落［００３０］、同［００３４］、同［００９８］、要約）。
【００１８】
【特許文献２】
特開２００１−８６４４５号公報（図５、図６、図１４、請求項２、同６、段落［００３０］、同［００３４］、同［００６３］、要約）。
【００１９】
【特許文献３】
特開２００１−８６４５５号公報（図５、図６、請求項２、段落［００３１］、同［００３４］、要約）。
【００２０】
【特許文献４】
特開２００１−８６４６３号公報（図５、図６、請求項２、段落［００３０］、同［００３４］、同［００９８］、要約）。
【００２１】
【特許文献５】
特開２００１−８６４６４号公報（図５、図６、図１４、請求項２、同６、段落［００３０］、同［００３４］、同［００６３］、要約）。
【００２２】
【特許文献６】
特開２００１−８６４６５号公報（図５、図６、請求項２、段落［００３１］、同［００３４］、要約］）。
【００２３】
【特許文献７】
特開２００１−８６４６６号公報（図５、図６、請求項２、段落［００３０］、同［００３４］、同［００９８］、要約）。
【００２４】
【特許文献８】
特開２００１−１９７４１７号公報（図５、図６、図１４、請求項２、同６、段落［００３０］、同［００３４］、同［００６３］、要約）。
【００２５】
【特許文献９】
特開２００１−１９７４１８号公報（図５、図６、請求項２、段落［００３１］、同［００３４］、要約））。
【００２６】
【特許文献１０】
特開２００１−１９７４４１号公報（図５、図６、図１４、請求項２、同６、段落［００３０］、同［００３４］、同［００６３］、要約）。
【００２７】
【特許文献１１】
特開２００１−１９７４４２号公報（図５、図６、請求項２、段落［００３１］、同［００３４］、要約））。
【００２８】
【発明が解決しようとする課題】
ところで、特許文献１ないし１１に開示されているＷＳＳは、有効映像ラインであるライン２３に重畳されるため、映像および音声をデジタル信号により記録するための標準的なフォーマットであるＭＰＥＧ２では、この信号が、そのまま映像信号として記録される。
【００２９】
このため、再生時に、ＷＳＳに対応していないテレビ受像器（モニタ装置）にそのまま出力すると、表示画像の最上部の有効映像ラインに白いライン（不要な画像）が表示される問題がある。
【００３０】
なお、ワイド信号（アスペクト比１６：９）で記録された信号をレターボックスサイズで再生すると、上述した白いラインは、表示画面の中央付近に発生する問題がある。
【００３１】
この発明の目的は、ＷＳＳが含まれている映像信号を再生する際に、表示装置の有効画像領域内にＷＳＳ成分が再生されることを抑止可能な映像記録再生装置および映像記録再生方法を提供することである。
【００３２】
【課題を解決するための手段】
この発明は、上述問題点に基づきなされたもので、空間伝送または信号線により外部から入力される映像信号および音声信号が入力される信号入力部と（ＴＶチューナ・外部入力）、前記信号入力部に入力された信号を所定形式の信号にエンコードするエンコード部と（エンコーダ・データ処理部）、記録媒体に上記映像信号とその管理情報を記録する記録装置と（ＨＤＤ・ＤＶＤドライブ装置）、前記信号入力部に入力された上記映像信号の垂直帰線期間に、有効映像領域内に出力されることのある制御情報信号が含まれていることを検知する制御情報信号検出装置と（エンコーダ・ＭＰＵ）、前記制御情報信号検出装置により上記制御情報信号が含まれていることが検出された場合に、上記制御情報信号が含まれていることを示すフラグを上記記録媒体の管理情報記録領域の所定の領域に立てる制御制御装置と（ＭＰＵ・データ処理部（ディスクコントローラ））、を備えたことを特徴とする映像記録再生装置、を提供するものである。
【００３３】
【発明の実施の形態】
以下、図面を参照しながら本発明の実施の形態について説明する。
【００３４】
図１は、この発明の実施の形態が適用される映像記録再生装置の構成の一例を説明するブロック図である。
【００３５】
図１において、映像記録再生装置１００は、放送衛星や通信衛星から、あるいはＶＨＦ帯域またはＵＨＦ帯域の電波により放送される所定チャンネルの放送信号を選択受信するテレビチューナ１０１と映像信号や音声信号が入力可能な外部入力端子１０２とを有する。
【００３６】
テレビチューナ１０１または外部入力端子１０２から入力された映像信号ならびに音声信号は、映像入力部１および音声入力部２を経由して、それぞれ、ビデオ（映像）アナログ−デジタル（Ａ／Ｄ）変換回路３およびオーディオ（音声）アナログ−デジタル（Ａ／Ｄ）変換回路４に入力され、アナログ映像信号およびアナログ音声信号から映像デジタル信号および音声デジタル信号に変換される。
【００３７】
映像デジタル信号および音声デジタル信号は、エンコーダ５のバッファメモリ１０５に入力され、後段で説明するＭＰＵ１８からの指令（制御コマンド）に応じて、所定の信号処理が施される。一例を示すと、映像デジタル信号は、例えばＭＰＥＧ２規格の圧縮ビデオデータに符号化され、音声ディジタル信号は、例えばＡＣ３やＭＰＥＧ等の圧縮オーディオデータに符号化される。また、圧縮ビデオデータならびに圧縮オーディオデータは、エンコーダ５により、ＭＰＥＧ２システムレイヤーに変換される。
【００３８】
エンコーダ５からの信号は、ＤＶＤレコーディング規格（ＤＶＤ−ＲＡＭ，ＤＶＤ−ＲＷ等）に規定されたフォーマットに、フォーマッタ６で、フォーマット変換される。
【００３９】
フォーマッタ６でフォーマット変換された信号は、データ処理部７において、ＤＶＤ−ＲＡＭドライブ８あるいはハードディスクドライブ（ＨＤＤ）９に準拠したコマンドを含めた記録データに変換され、ＤＶＤ−ＲＡＭドライブ８に予めセットされたＤＶＤ−ＲＡＭディスクＭ、またはハードディスク（ＨＤ）に記録される。なお、データ処理部７は、主にバッファ回路で占められているとともに、ＨＤＤ９とＤＶＤ−ＲＡＭドライブ８との間の記録データの転送およびＨＤＤ９またはＤＶＤ−ＲＡＭドライブ８への記録データの記録およびＨＤＤ９のハードディスクＨＤまたはＤＶＤ−ＲＡＭドライブ８にセットされたＤＶＤ−ＲＡＭディスクＭからのデータの読み出しの際のディスクコントローラとしても機能する。
【００４０】
また、映像記録再生装置１００においては、上述したフォーマッタ６でフォーマット変換されたデータのほかに、ＭＰＵ１８で作成された再生用管理情報が、データ処理部７を経由して、ＤＶＤ−ＲＡＭディスクＭあるいはハードディスク（ＨＤ）に記録される。なお、ＭＰＵ１８により、ＤＶＤ−ＲＡＭディスクＭあるいはハードディスク（ＨＤ）に記録された複数の番組の編集が可能である。
【００４１】
例えば、詳述しないが既に公開されているＤＶＤフォーマットに対応した方法により、既に記録されている番組（記録データ）の削除や、編集向けの再生等が可能である。この場合、ＭＰＵ１８により、それらの記録データに対応する管理情報が修正され、データ処理部７を介して、記録データの複写、移動、削除等が実行される。
【００４２】
ＤＶＤ−ＲＡＭディスクＭやハードディスク（ＨＤ）に記録されているデータの再生時には、ＤＶＤ−ＲＡＭディスクＭやハードディスク（ＨＤ）からデータ処理部７に、読み出されたデータが入力され、データ処理部７の出力（読み出し出力）がデコーダ１０に入力される。
【００４３】
デコーダ１０に入力された読み出し出力は、ＤＶＤフォーマットからデコードされる。すなわち、デコーダ１０は、主に、ＤＶＤフォーマットされている読み出しデータをビデオデータとオーディオデータとに分離する分離部と分離された圧縮ビデオデータおよび圧縮オーディオデータを、それぞれ、デコードする部分とを有し、ビデオデータはＭＰＥＧ２方式からデコードされ、オーディオデータはＭＰＥＧやＡＣ３等からデコードされる。
【００４４】
デコードされたビデオデータおよびオーディオデータは、それぞれ、セレクタ１１ａ，１１ｂに出力される。
【００４５】
セレクタ１１ａから出力されたビデオデータは、ビデオＤ／Ａ変換回路１２により、映像アナログ信号に変換され、モニタ装置（ディスプレイ）１４もしくはテレビ受像器の映像入力部に出力される。また、セレクタ１１ｂから出力されたオーディオデータは、オーディオＤ／Ａ変換回路１３により、音声アナログ信号に変換され、スピーカ１５またはテレビ受像器の音声入力部に入力される。
【００４６】
また、ＭＰＵ１８では、上記に述べた以外に、キー入力部１６からユーザーのコマンド制御を受け、映像記録再生装置１００の個々の回路またはユニットの動作を制御する。なお、ＭＰＵ１８は、映像記録再生装置１００の動作、例えば録画開始（ＲＥＣ）、画像再生（ＰＬＡＹ）、（録画および再生の）停止（ＳＴＯＰ）、スキップ（ＳＫＩＰ）、時計合わせ／予約時間（ＨＯＵＲ，ＭＩＮ，ＤＡＹ，ＭＯＮＴＨ）の入力、予約条件（ＲＡＴＥ，ＭＯＤＥ，ＨＤＤ，ＤＩＳＫ）の入力、およびリセット（ＣＯＵＮＴＥＲ  ＲＥＳＥＴ）等に対応する制御信号の入力ならびに主電源のオン／オフ等を可能とするために、入力されたコマンドおよびパラメータ等を一時的に保持するＲＡＭや制御プログラム等が記憶されたＲＯＭを含み、制御プログラムに従ってシステム全体の動作、ユーザーからのコマンドの受け付け、現在の状態表示、あるいはＤＶＤフォーマットの検出を実行する。
【００４７】
ＭＰＵ１８には、また、映像記録再生装置１００の図示しない主電源回路がオフ状態であっても、予め設定されている時刻、またはその時刻の所定時間前の時刻に主電源をオンさせ、録画予約の開始時刻に先だって装置１００の本体の各部を、録画可能状態にスタンバイさせるためのタイマーコンピュータ１９が接続されている。タイマーコンピュータ１９は、例えば、予め入力されている予約時間が到来した時点で、予め設定されている録画条件で、予約されたチャンネルの放送（番組）をセットし、映像および音声の予約録画を可能とする。
【００４８】
図２、図３は、図１に示した映像記録再生装置において利用される録画データを記録するためのＤＶＤ−ＶＲ（ＤＶＤ  Ｖｉｄｅｏ  Ｒｅｃｏｒｄｉｎｇ）規格を説明する概略図である。
【００４９】
ＤＶＤ−ＶＲ規格では、動画の実データが記録されるＶＲＯファイル（ＶＲ＿ＭＯＶＩＥ．ＶＲＯ）と、このデータの記録位置やタイトル情報などの管理情報を記録するＩＦＯファイル（ＶＲ＿ＭＡＮＧＲ．ＩＦＯ）というファイルによりデータが管理される（なお、静止画等を扱うファイルも存在するが、本提案では説明を省略する）。
【００５０】
ＶＲＯファイルには、動画と音声の情報が、ＭＰＥＧ２プログラムストリーム（ＭＰＥＧ２  Ｐｒｏｇｒａｍ  Ｓｔｒｅａｍ）方式で記録される。また、複数の録画（情報の記録）が実行された場合、後に録画されたデータは、直前に録画されたデータに続いて同一のファイルに記録される。
【００５１】
このように、同一ファイルに複数の録画データが記録されることから、個々の録画データを管理するために利用されるＩＦＯ（情報）ファイルが用意されている。ＤＶＤ−ＶＲ規格では、１回の録画で作成された動画データを、Ｍ＿ＶＯＢ（Ｍｏｖｉｅ  Ｖｉｄｅｏ  Ｏｂｊｅｃｔ）と呼び、各Ｍ＿ＶＯＢがファイルのどの位置に記録されているかが、ＩＦＯファイルに記述される。ＩＦＯファイルのこの領域は、Ｍ＿ＶＯＢＩ（Ｍｏｖｉｅ  Ｖｉｄｅｏ  Ｏｂｊｅｃｔ  Ｉｎｆｏｒｍａｔｉｏｎ）と呼称される。
【００５２】
次に、図２を参照して、ビデオオブジェクト（ＶＯＢ）について説明する。
【００５３】
ＶＯＢは、上述したＶＲ＿ＭＯＶＩＥ．ＶＲＯファイルと称されるビデオファイル内に格納される。
【００５４】
ビデオファイルは、階層構造であり、１つのファイルは、１つまたは複数のＶＯＢ（ビデオオブジェクト）で構成される。１つのＶＯＢは、１つまたは複数のＶＯＢＵ（ビデオオブジェクトユニット）で構成され、１つのＶＯＢＵは、複数のパックから構成される。複数のパックとしては、ＲＤＩパック、Ｖ（ビデオ）パック、Ａ（オーディオ）パック等が存在する。副映像パック（ＳＰパック）が存在しても良い。
【００５５】
ＲＤＩパックは、ユニット制御情報パックあるいはナビゲーション情報パックもしくはリアルタイムデータ情報パック（ＲＤＩ＿ＰＡＣＫ）と称される。
【００５６】
このパックには、これが属するＶＯＢＵの最初のフィールドが再生される開始時間を示す情報、そのＶＯＢＵの記録時を示す情報、製造者情報（ＭＮＦＩ）等が含まれる。また、ディスプレイ制御情報（ＤＣＩ）およびコピーコントロール情報（ＣＣＩ）が含まれる。
【００５７】
ディスプレイ制御情報は、アスペクト比情報、サブタイトルモード情報、フィルムカメラモード情報を示す。
【００５８】
コピーコントロール情報（ＣＣＩ）は、コピー許可情報（０，０）、またはコピー禁止（コピー否許可）情報（１，１）を含む。
【００５９】
Ｖパックは、ビデオデータがＭＰＥＧ２の方式で圧縮されたもので、パックヘッダ、パケットヘッダ、ビデオデータ部で構成されている。
【００６０】
Ａパックは、オーディオデータが、例えばリニアＰＣＭあるいはＭＰＥＧ，あるいはＡＣ３などの方式で符号化されたものであり、パックヘッダ、パケットヘッダ、オーディオデータ部で構成される。
【００６１】
管理情報は、上述したＶＲ＿ＭＡＮＧＲ．ＩＦＯと称される管理情報ファイルに格納される。管理情報は、ビデオマネージャー（ＶＭＧ）と称され、その中にデータ再生順序を管理するプログラムチェーン（ＰＧＣ）が定義され、このＰＧＣ内には、セル（ＣＥＬＬ）が定義されている。
【００６２】
ＰＧＣは、複数のセル（ＣＥＬＬ）の順序を記述して指定している。セル（ＣＥＬＬ）には、再生すべき対象となるビデオオブジェクト（ＶＯＢ）に関する情報であるビデオオブジェクト情報（ＶＯＢＩ）が定義されている。
【００６３】
ＰＧＣの具体的情報は、プログラムチェーン情報（ＰＧＣＩ）に記録される。
【００６４】
ＰＧＣＩは、オリジナルＰＧＣＩ（ＯＲＧ＿ＰＧＣＩ）とユーザーデファインドＰＧＣテーブル（ＵＤ＿ＰＧＣＩＴ）とに区分される。
【００６５】
通常、記録時には、オリジナルＰＧＣＩが作成される。ユーザーデファインド（ＵＤ＿ＰＧＣＩＴ）は、オリジナルＰＧＣで管理されているビデオオブジェクトが編集（削除、追加或いは間引き）された際に、プレイリストという管理情報として作成される。
【００６６】
ところで、図２および図３に示されるＲＤＩパックには、上述した通り、アスペクト情報（ＤＣＩ）やコピー制御情報（ＣＣＩ）のためのフラグがあるが、ＷＳＳ（Ｗｉｄｅ  Ｓｃｒｅｅｎ  Ｓｉｇｎａｌｌｉｎｇ  情報）が検出された場合は、これらの情報に記述される。
【００６７】
ＷＳＳ固有のフラグとしては、図３に示すＤＣＩ＿ＳＳのＭＳＢビットおよびＤＣＩデータのサブタイトル（Ｓｕｂｔｉｔｌｅ）とフレームカメラモード（Ｆｉｌｍ  Ｃａｍｅｒａ）フラグがある。
【００６８】
ところで、ＰＡＬ方式においては、ＷＳＳ（Ｗｉｄｅ  Ｓｃｒｅｅｎ  Ｓｉｇｎａｌｌｉｎｇ  情報）が、ＶＢＩ（Ｖｅｒｔｉｖａｌ  Ｂｌａｎｋｉｎｇ  Ｉｎｔｅｒｖａｌ  すなわち垂直帰線期間）に重畳される場合がある。
【００６９】
従って、図１を用いて前に説明したビデオ（映像）デジタル−アナログ変換回路１２に接続されるテレビ受像器（モニタ装置）がＷＳＳに対応していない場合には、テレビ受像器（モニタ装置）の表示画像の最上部の有効映像ラインに白いライン（不要な画像）が表示されることになる。
【００７０】
本発明は、ＷＳＳが含まれている映像信号を再生する際に表示装置の有効画像領域内にＷＳＳ成分が再生されることを抑止するもので、図４に示すような特徴を有する。
【００７１】
図４は、ＤＶＤ―ＶＲフォーマットにより映像を記録する際の動作の一例を説明するフローチャートである。
【００７２】
録画開始が指示されると、録画準備で各種パラメータを設定し（Ｓ１０１）、図１のエンコーダー５に録画を開始させる（Ｓ１０２）。
【００７３】
次に、ＶＢＩにＷＳＳ信号が重畳されているかを検出し（Ｓ１０３）、ＷＳＳが検出されない場合は（Ｓ１０３−Ｎｏ）、ＲＤＩパックに、ＷＳＳが重畳されている場合に固有の設定、を付加しない（Ｓ１０４）。例えば図３のＤＣＩ＿ＳＳを、０１（ｂ）に設定する。すなわち、ＤＣＩ＿ＳＳに０１（ｂ）のフラグが立てられ、ＷＳＳが重畳されていないことが識別可能となる。
【００７４】
以下、ライン２３から映像信号の符号化を開始し（Ｓ１０５）、符号化されたデータを、記録媒体例えばハードディスク（ＨＤ）またはＤＶＤ−ＲＡＭディスクＭに記録する（Ｓ１０８）。
【００７５】
ＷＳＳが検出された場合は（Ｓ１０３−Ｙｅｓ）、ＲＤＩパックに、ＶＢＩにＷＳＳが重畳されている場合に固有の設定を付加する（Ｓ１０６）。この場合、例えば図３のＤＣＩ＿ＳＳを、１１（ｂ）に設定する。すなわち、ＤＣＩ＿ＳＳに１１（ｂ）のフラグが立てられ、ＷＳＳが重畳されていることが識別可能となる。
【００７６】
なお、ＤＣＩのアスペクト情報が４：３と１６：９以外のアスペクト情報であることを検出したならば、その値を設定する。また、サブタイトル（Ｓｕｂｔｉｔｌｅ）またはフレームカメラモード（Ｆｉｌｍ  Ｃａｍｅｒａ）モードを検出したならば、所定のＤＣＩのフラグを設定する。
【００７７】
次に、ライン２４から映像信号の符号化を開始し（Ｓ１０７）、符号化されたデータを記録装置に記録する（Ｓ１０８）。なお、画像が出力されるラインの切り換えは、例えばエンコーダ５のバッファ１０５からデータ処理部７への、またデータ処理部７からハードディスク（ＨＤ）もしくはＤＶＤ−ＲＡＭディスクＭへのデータの出力（転送）に際して、２３ラインのデータを出力するか２４ラインのデータから出力させるかの制御により、容易に変更できる。
【００７８】
続いて、キー入力や図示しないリモコン等から終了信号が入力されたかを判定し（Ｓ１０９）、終了コマンドの入力が検知できた場合は、録画終了をする（Ｓ１１０）。
【００７９】
引き続き、録画する場合は（Ｓ１１１）、再びＷＳＳ信号が入力されたか否かを検出し、ＷＳＳの入力の有無を判定する（Ｓ１０３）。
【００８０】
なお、この１回の周期は、図２に示した１ＶＯＢＵ間隔とする。
【００８１】
また、図４を用いて説明したＤＶＤ―ＶＲフォーマットにより映像を記録する際に、例えばタイマーコンピュータ１９に予め登録（予約）された録画予約に基づいて映像が録画される場合は、ステップＳ１０１で説明した録画準備における各種パラメータの設定のために、タイマーコンピュータ１９により、録画予約が実行される予約時間よりも、例えば１５〜５秒程度早く図示しない主電源がオンされる。従って、実際の録画開始時間よりも前に、ステップＳ１０４で説明したＷＳＳの検出が可能である。これにより、タイマーコンピュータ１９による予約録画においても、図４に示した各ステップに従って、ＶＢＩに、ＷＳＳが重畳されている場合であっても、録画開始ラインが１ラインシフトされる。
【００８２】
一方、図４を用いて説明したＤＶＤ―ＶＲフォーマットにより映像を記録する際に、例えばリモコンによりあるいはキー入力部１６により、任意のタイミングで録画対象のチャンネルが切り換えられた場合には、上述の通り、図２に示した１ＶＯＢＵ間隔で、ステップＳ１０４で説明したように、ＷＳＳが検出される。これにより、任意のタイミングで録画対象のチャンネルが切り換えられたとしても、ＶＢＩにＷＳＳが重畳されている場合に、不要な画像（白いライン）が出力されることは、最小に抑えられる。
【００８３】
図５は、ＤＶＤ―ＶＲフォーマットにより映像を再生する際の動作の一例を説明するフローチャートである。
【００８４】
再生開始が指示されると、再生準備として、各種パラメータが設定される（Ｓ２０１）。図１のデコーダー１０に再生を開始させ（Ｓ２０２）、図示しないリモコン等で選択された記録媒体すなわちハードディスク（ＨＤ）またはＤＶＤ−ＲＡＭディスクＭからデータを読み出す（Ｓ２０３）。
【００８５】
次に、再生時のＲＤＩパックに、ＷＳＳ固有のフラグであるかを検出する（Ｓ２０４）。ここでは、図３のＤＣＩ＿ＳＳが１１（ｂ）の場合、すなわちフラグ１１（ｂ）が立っているは、ＷＳＳオンとし、それ以外は、ＷＳＳオフとする。
【００８６】
ＷＳＳがオンの場合は（Ｓ２０４−Ｎｏ）、ライン２３から再生（画像出力）を開始する（Ｓ２０５）。これに対して、ＷＳＳがオフの場合は（Ｓ２０４−Ｙｅｓ）、ライン２４から再生（画像出力）を開始する（Ｓ２０６）。なお、画像が出力されるラインの切り換えは、例えばデコーダ１０のバッファ１１０またはデータ処理部７からデコーダ１０への再生（読み出し）データの転送に際して、２３ラインのデータを出力するか２４ラインのデータから出力させるかの制御により、容易に変更できる。また、ＷＳＳオフもしくは検出不能の場合には、２３ラインのデータを出力する際に、黒データとして出力してもよい。
【００８７】
以下、リモコン等により停止が指示されたか否かを判定し（Ｓ２０７）、停止コマンドが入力された場合は、再生を停止させ（Ｓ２０８）、停止コマンドが入力されない場合は、再生を継続して再び記録装置からデータを読み込み（Ｓ２０９）、画像の再生を継続させる。
【００８８】
なお、上記例は、ＷＳＳが検出された場合、ライン２３すべての録画・再生を行わないようにしたが、これを水平同期信号からラインの途中までを、録画・再生を行わないようにする方法も可能である。
【００８９】
さらに、図４および図５においては、ＲＤＩパックに、ＷＳＳ固有のフラグに書き込み、再生時のフラグの有無を検出してＷＳＳのオン／オフを判定する例を説明したが、例えばＭＰＥＧ２のユーザーデータに、ＷＳＳ検出データすべてを記録し、再生時には記録したユーザーデータで判定すれば、ＲＤＩパックにある以外のＷＳＳ情報も、記録および再生可能である。
【００９０】
以上説明したように、本発明の映像記録装置では、ＰＡＬ方式において、有効記録開始ラインを、ＷＳＳが有効な場合は１ラインずらしてライン２４とする。
【００９１】
また、再生装置においては、これらＷＳＳが記録されているデータを再生する場合は、再生有効映像開始ラインを１ラインずらして、ライン２４とする。
【００９２】
上記の手段によれば、ＷＳＳがＶＢＩに重畳されて映像信号を記録しても、再生時に白ラインが見えることはなく、さらに、ＷＳＳが有効な映像データを再生しても、白ラインがみえることのない再生が可能である。
【００９３】
なお、本発明で録画されたストリームを、他の映像再生装置で再生しても、白ライン（不要な画像）が画像表示部の有効映像エリアに出力されることはない。また、他の映像記録装置で記録した記録媒体であって、映像有効ラインに、画像表示部の有効映像エリアＷＳＳ情報が記録されている場合であっても、本発明の再生装置では、白ライン（不要な画像）が再生されることはない。
【００９４】
また、ＷＳＳ検出方法は、正確に検出できる方法であれば、どのような検出を行ってもよい。
【００９５】
なお、本発明の趣旨を満たしていれば、本実施例のような複数の記録装置がなくても構わない。また、本発明の趣旨を満たしていれば、映像記録再生装置の構成はどのようであっても構わない。さらに、本発明の趣旨を満たしていれば、本実施例以外のどのような手順であっても構わない。
【００９６】
また、この発明は、上述した実施の形態に限定されるものではなく、実施に際しては、要旨を逸脱しない範囲で、任意に変形または変更可能である。例えば、上述した実施の形態では、記録の対象を映像および音声とした例を説明したが、記録の対象を音声に限るものであっても同等の作用および効果が得られることはいうまでもない。また、上述した実施の形態では、記録媒体を光ディスク（ＲＡＭディスク）やハードディスクとする映像記録再生装置を例に説明したが、例えば、従来のＶＴＲ（Ｖｉｄｅｏ  Ｔａｐｅ  Ｒｅｃｏｒｄｅｒ）においても、同等の特徴をもつ限り同等の作用・効果が得られることはいうまでもない。
【００９７】
【発明の効果】
以上説明したようにこの発明によれば、ＷＳＳ情報がＶＢＩ信号に重畳されて入力された場合に、画像表示部の有効映像エリアに不要な画像が出力されることが防止される。
【００９８】
これにより、映像プログラムを再生した際の画像の質が向上される。
【図面の簡単な説明】
【図１】この発明の実施の形態が適用される映像記録再生装置の構成の一例を説明するブロック図。
【図２】図１に示した映像記録再生装置において利用される録画データを記録するためのＤＶＤ−ＶＲ（ＤＶＤ  Ｖｉｄｅｏ  Ｒｅｃｏｒｄｉｎｇ）規格を説明する概略図。
【図３】図１に示した映像記録再生装置において利用される録画データを記録するためのＤＶＤ−ＶＲ（ＤＶＤ  Ｖｉｄｅｏ  Ｒｅｃｏｒｄｉｎｇ）規格を説明する概略図。
【図４】ＤＶＤ―ＶＲフォーマットにより映像を記録する際の動作の一例を説明するフローチャート。
【図５】ＤＶＤ―ＶＲフォーマットにより映像を再生する際の動作の一例を説明するフローチャート。
【符号の説明】
１…映像入力部（信号入力部）、２…音声入力部（信号入力部）、３…ビデオ（Ａ／Ｄ）変換回路、４…オーディオ（Ａ／Ｄ）変換回路、５…エンコーダ（１０５…バッファ）、６…フォーマッタ、７…データ処理部（ディスクコントローラ）、８…ＤＶＤ−ＲＡＭドライブ（記録装置）、９…ハードディスクドライブ（記録装置）、１０…デコーダ（１１０…バッファ）、１４…モニタ装置、１８…ＭＰＵ、１９…タイマーコンピュータ、１００…映像記録再生装置、１０１…テレビチューナ（信号入力部）、１０２…外部入力端子（信号入力部）。
【図１】
2004363648.tif 000003
【図２】
2004363648.tif 000004
【図３】
2004363648.tif 000005
【図４】
2004363648.tif 000006
【図５】
2004363648.tif 000007